(57)【要約】【課題】耐衝撃特性を向上したハードディスクドライブを提供する。【解決手段】ベース部材１１２上に装着されるスピンドルモータ１５５と；スピンドルモータ１５５に固定され、スピンドルモータ１５５とともに回転する少なくとも一つ以上のディスク１５０と；ベース部材１１２上に旋回可能に配置され、先端側に搭載されるスライダー１３６をディスク１５０上の所定の位置に移動するアクチュエータ１３０と；ディスク１５０の外郭に設けられて、ディスク１５０から離隔されたアクチュエータ１３０の先端を支持するランプ１６０と；ランプ１６０の上側において、ベース部材１１２と対向するように組立てられるカバー部材１１１と；を備え、カバー部材１１１には、ランプ１６０の少なくとも一部に向かって突出する突出部１２０が形成される。【選択図】    図２
2007109379.tif 000002
【特許請求の範囲】
【請求項１】
ベース部材上に装着されるスピンドルモータと；
前記スピンドルモータに固定され、前記スピンドルモータとともに回転する少なくとも一つ以上のディスクと；
前記ベース部材上に旋回可能に配置され、先端側に搭載されるスライダーを前記ディスク上の所定の位置に移動するアクチュエータと；
前記ディスクの外郭に設けられて、前記ディスクから離隔された前記アクチュエータの先端を支持するランプと；
前記ランプの上側において、前記ベース部材と対向するように組立てられるカバー部材と；
を備え、
前記カバー部材には、前記ランプの少なくとも一部に向かって突出する突出部が、形成されることを特徴とする、ハードディスクドライブ。
【請求項２】
前記ランプは、
前記ディスクから前記ランプに移動する前記アクチュエータの前記先端を、前記ディスクの表面から離れるように案内する第１傾斜面と；
前記ディスクの前記表面から離隔された状態の前記アクチュエータの前記先端を、水平に案内するエンドタップ移動面と；
前記第１傾斜面に対して反対方向の傾斜を備える第２傾斜面と；
停止状態の前記アクチュエータの前記先端を支持するエンドタップ停止面と；
を備えることを特徴とする、請求項１に記載のハードディスクドライブ。
【請求項３】
前記突出部は、前記エンドタップ停止面に向かって突出し、
互いに対向する前記突出部の底面と前記エンドタップ停止面との間において、所定の間隙が維持されるように、前記突出部の前記底面は、前記エンドタップ停止面に対して平行となることを特徴とする、請求項２に記載のハードディスクドライブ。
【請求項４】
前記突出部は、前記エンドタップ停止面に向かって突出し、
前記突出部の底面は、所定の曲率の曲面から形成されることを特徴とする、請求項２に記載のハードディスクドライブ。
【請求項５】
前記突出部は、前記カバー部材と一体になるように、前記カバー部材の一部分を前記ランプ側に突出して形成されることを特徴とする、請求項１〜４のいずれかに記載のハードディスクドライブ。
【請求項６】
前記ランプに対向する前記突出部の前記底面には、緩衝材が配置されることを特徴とする、請求項３〜５のいずれかに記載のハードディスクドライブ。
【請求項７】
ベース部材上に装着されるスピンドルモータと；
前記スピンドルモータに固定され、前記スピンドルモータとともに回転する少なくとも一つ以上のディスクと；
前記ベース部材上に旋回可能に配置され、先端側に搭載されるスライダーを前記ディスク上の所定の位置に移動するアクチュエータと；
前記ディスクの外郭に設けられて、前記ディスクから離隔される前記アクチュエータの先端を前記ディスクの表面から離れるように案内する第１傾斜面、および停止状態の前記アクチュエータの前記先端を支持するエンドタップ停止面を備えるランプと；
前記ランプの上側において、前記ベース部材と対向するように組立てられるカバー部材と；
を備え、
前記カバー部材には、前記第１傾斜面から前記エンドタップ停止面にわたって前記ランプの形状に対応するように突出する突出部が設けられることを特徴とする、ハードディスクドライブ。
【請求項８】
前記ランプの前記第１傾斜面と前記エンドタップ停止面との間には、
前記ディスクの前記表面から離隔された状態の前記アクチュエータの前記先端を、水平に案内するエンドタップ移動面と；
前記第１傾斜面に対して反対方向の傾斜を備える第２傾斜面と；
が設けられることを特徴とする、請求項７に記載のハードディスクドライブ。
【請求項９】
互いに対向する前記突出部と前記ランプとの間において、所定の間隙が維持されるように、前記突出部は、
前記ランプの前記第１傾斜面に対して平行に位置する第１斜面と；
前記ランプの前記エンドタップ移動面に対して平行に位置する第１水平面と；
前記ランプの前記第２傾斜面に対して平行に位置する第２斜面と；
前記ランプの前記エンドタップ停止面に対して平行に位置する第２水平面と；
を備えることを特徴とする、請求項８に記載のハードディスクドライブ。
【請求項１０】
前記突出部は、前記カバー部材と一体になるように、前記カバー部材の一部分を前記ランプ側に突出して形成されることを特徴とする、請求項７〜９のいずれかに記載のハードディスクドライブ。
【請求項１１】
前記ランプに対向する前記突出部の底面には、緩衝材が配置されることを特徴とする、請求項７〜１０のいずれかに記載のハードディスクドライブ。
【発明の詳細な説明】
【技術分野】
【０００１】
本発明は、ハードディスクドライブに係り、さらに詳細には、耐衝撃特性を向上したハードディスクドライブに関する。
【背景技術】
【０００２】
ハードディスクドライブ(ＨＤＤ：Ｈａｒｄ  Ｄｉｓｋ  Ｄｒｉｖｅ)は、情報の記録および再生を担当する読取り／書込みヘッドを情報保存用のディスク上の所定位置に移動させるアクチュエータと、ディスクを高速で回転させるスピンドルモータとを備え、所定の情報を、ディスク上に記録し、またはディスク上から再生する装置である。ハードディスクドライブ（ＨＤＤ）に電源が印加されて、ディスクが回転し始めると、アクチュエータは、読取り／書込みヘッドをディスクの記録面上に移動させる。そして、読取り／書込みヘッドは、高速回転するディスクからの揚力により、記録面から所定の高さに浮上し、浮上した状態でディスクの特定のトラックを追従しながら、読取り／書込み機能を行う。一方、ハードディスクドライブ（ＨＤＤ）の電源がオフになると、ディスクの記録面上に位置する読取り／書込みヘッドは、アクチュエータの駆動によって、ディスクの外郭に配置されるランプ上に移動して、配置される。
【０００３】
図１は、従来技術におけるハードディスクドライブ（ＨＤＤ）の主要部を示す図面であって、ハードディスクドライブの電源がオフされた停止状態を示す。図１を参照すると、上下に対向するように結合されるカバー部材１１とベース部材１２との間には、アクチュエータ３０が設けられる。アクチュエータ３０の先端には、サスペンション３５が装着される。サスペンション３５には、読取り／書込みヘッド（図示せず）を備えるスライダー３６が設置される。ディスクの上下両面に所定の情報が記録される場合、サスペンション３５は、ディスクの上面および下面にそれぞれ対応するように、対になって設けられる。
サスペンション３５は、サスペンション３５自身の弾性力によって、スライダー３６をディスクの記録面に対して接近させる。サスペンション３５の弾性力によってディスクの記録面に接近するスライダー３６は、ディスクの記録面からディスクの回転によって発生する揚力とサスペンション３５の弾性力との均衡に相当する高さに浮かんでいる。
【０００４】
さらに具体的に、サスペンション３５は、ロッドビーム３３およびフレクシャー３４を備える。ロッドビーム３３およびフレクシャー３４は、ロッドビーム３３から突出されるディンプル３９を通じて互いに接触し、ディンプル３９によって、ロッドビーム３３とフレクシャー３４との間には、一定の余裕空間が確保される。これによって、スライダー３６が装着されるフレクシャー３４は、ロッドビーム３３に対して揺れながら浮上に有利な位置をとることができ、スライダー３６の浮上安定性に寄与する。
【発明の開示】
【発明が解決しようとする課題】
【０００５】
しかし、従来技術のハードディスクドライブ（ＨＤＤ）が停止する時、スライダー３６は、ディスクから離隔されて、ディスクの外郭に位置するランプ６０上に移動される。この際、外部から衝撃が加えられると、例えば、垂直上方から衝撃が加えられると、相対的に剛性の低いサスペンション３５は、下方に曲がる。そして、サスペンション３５自体の弾性復原力によって、サスペンション３５は、間隙（ｇ’）の間で再び上方に跳ね返る。この時、ロッドビーム３３の終端のエンドタップ３８は、カバー部材１１に衝突し、カバー部材１１からエンドタップ３８に加えられる反発力によって、サスペンション３５は、再び下方に変形される。この時、互いに対向するように配置されるスライダー３６対は、サスペンション３５と共に上下に振動する過程で、互いに衝突して損傷される危険がある。また、弾性限度を超える振動によって、サスペンション３５が永久変形される場合、特に、スライダー３６を備えるフレクシャー３４が永久変形されると、スライダー３６がディスク上で安定的に浮かぶことができなくなり、浮上安定性が低下する。この場合、スライダー３６とディスクの記録面との間に、一定の間隙が維持できないなど、ハードディスクドライブ自体における製品信頼度の問題が発生する。
【０００６】
そこで、本発明は、このような問題に鑑みてなされたもので、その目的とするところは、外部衝撃時に起こるサスペンションの弾性振動を、所定の範囲に制限することによって、サスペンションに装着される読取り／書込みヘッドおよびスライダーの衝撃を緩和でき、サスペンションの永久変形を防止できて、かつデータの記録／再生時に、スライダーおよび読取り／書込みヘッドの浮上安定性を確保できるハードディスクドライブを提供することにある。
【課題を解決するための手段】
【０００７】
上記課題を解決するために、本発明の第１の観点によれば、ベース部材上に装着されるスピンドルモータと；スピンドルモータに固定され、スピンドルモータとともに回転する少なくとも一つ以上のディスクと；ベース部材上に旋回可能に配置され、先端側に搭載されるスライダーをディスク上の所定の位置に移動するアクチュエータと；ディスクの外郭に設けられて、ディスクから離隔されたアクチュエータの先端を支持するランプと；ランプの上側において、ベース部材と対向するように組立てられるカバー部材と；を備え、カバー部材には、ランプの少なくとも一部に向かって突出する突出部が形成されるハードディスクドライブが提供される。
【０００８】
ランプは、ディスクからランプに移動するアクチュエータの先端を、ディスクの表面から離れるように案内する第１傾斜面と；ディスクの表面から離隔された状態のアクチュエータの先端を、水平に案内するエンドタップ移動面と；第１傾斜面に対して反対方向の傾斜を備える第２傾斜面と；停止状態のアクチュエータの先端を支持するエンドタップ停止面と；を備えることができる。
【０００９】
突出部は、エンドタップ停止面に向かって突出し、互いに対向する突出部の底面とエンドタップ停止面との間において、所定の間隙が維持されるように、突出部の底面は、エンドタップ停止面に対して平行となるように設けられてよい。または、突出部は、エンドタップ停止面に向かって突出し、突出部の底面は、所定の曲率の曲面から形成されてよい。
【００１０】
本発明によれば、ランプのエンドタップ停止面に対応するように、カバー部材の一部分を突出形成して突出部を設けることにより、突出部とランプのエンドタップ停止面との間の間隙（余裕間隙）を狭く維持できる。よって、ハードディスクドライブの動作停止時において、ランプに配置されるサスペンションおよびスライダーに外部から衝撃が加えられても、上記余裕間隙を介して、外部衝撃時に起こるサスペンションの弾性振動を所定の範囲に制限することができる。従って、サスペンションに装着されるスライダーおよび読取り／書込みヘッドの外的損傷およびサスペンションの永久変形を防止できるなどの耐衝撃特性を改善できる。また、サスペンションの永久変形を防止できることにより、データの記録／再生時に、スライダーおよび読取り／書込みヘッドの浮上安定性が確保できる。つまり、本発明によれば、ハードディスクドライブ自身の製品信頼度を向上できる。
【００１１】
突出部は、カバー部材と一体になるように、カバー部材の一部分をランプ側に突出することにより形成されてよい。
【００１２】
ランプに対向する突出部の底面には、緩衝材が配置されてよい。
【００１３】
上記課題を解決するために、本発明の第２の観点によれば、ベース部材上に装着されるスピンドルモータと；スピンドルモータに固定され、スピンドルモータとともに回転する少なくとも一つ以上のディスクと；ベース部材上に旋回可能に配置され、先端側に搭載されるスライダーをディスク上の所定の位置に移動するアクチュエータと；ディスクの外郭に設けられて、ディスクから離隔されたアクチュエータの先端をディスクの表面から離れるように案内する第１傾斜面、および停止状態のアクチュエータの先端を支持するエンドタップ停止面を備えるランプと；ランプの上側において、ベース部材と対向するように組立てられるカバー部材と；を備え、カバー部材には、第１傾斜面からエンドタップ停止面にわたってランプの形状に対応するように突出する突出部が設けられるハードディスクドライブが提供される。
【００１４】
ランプの第１傾斜面とエンドタップ停止面との間には、ディスクの表面から離隔された状態のアクチュエータの先端を、水平に案内するエンドタップ移動面と；第１傾斜面に対して反対方向の傾斜を備える第２傾斜面と；が設けられてもよい。
【００１５】
互いに対向する突出部とランプとの間において、所定の間隙が維持されるように、突出部は、ランプの第１傾斜面に対して平行に位置する第１斜面と；ランプのエンドタップ移動面に対して平行に位置する第１水平面と；ランプの第２傾斜面に対して平行に位置する第２斜面と；ランプのエンドタップ停止面に対して平行に位置する第２水平面と；を備えることができる。
【００１６】
本発明によれば、ランプの第１傾斜面からエンドタップ停止面にわたって対応するように、カバー部材の一部分を突出形成して突出部を設けることにより、突出部とランプとの間の間隙（余裕間隙）を狭く維持できる。よって、ハードディスクドライブの動作停止時において、ランプに配置されるサスペンションおよびスライダーに外部から衝撃が加えられても、上記余裕間隙を介して、外部衝撃時に起こるサスペンションの弾性振動を所定の範囲に制限することができる。従って、サスペンションに装着されるスライダーおよび読取り／書込みヘッドの外的損傷およびサスペンションの永久変形を防止できるなどの耐衝撃特性を改善できる。また、サスペンションの永久変形を防止できることにより、データの記録／再生時に、スライダーおよび読取り／書込みヘッドの浮上安定性が確保できる。さらに、本発明では、第１傾斜面からエンドタップ停止面までのランプ上面と突出部との間に、所定の余裕間隙を設けるので、サスペンションおよびスライダーを備えるアクチュエータがディスクから離隔されてからランプに配置されるまでの間、外部から衝撃を加えられても、上記余裕間隙によってサスペンションの弾性振動を所定の範囲に制限できる。つまり、本発明によれば、ハードディスクドライブ自身の製品信頼度を向上できる。
【００１７】
突出部は、カバー部材と一体になるように、カバー部材の一部分をランプ側に突出することにより形成されてよい。
【００１８】
ランプに対向する突出部の底面には、緩衝材が配置されてよい。
【発明の効果】
【００１９】
以上説明したように本発明によれば、カバー部材とランプ面との間隙を狭く制限する突出部をカバー部材に設けることにより、サスペンションの弾性振動を迅速に減衰でき、サスペンションに装着されるスライダーおよび読取り／書込みヘッドの衝撃を緩和できる。また、サスペンションの永久変形を防止できることにより、データの記録／再生時にディスクの記録面から所定の高さに浮上するスライダーが、浮上に有利な最適の位置をとることができるので、読取り／書込みヘッドの浮上安定性を向上できる。
【発明を実施するための最良の形態】
【００２０】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２１】
（第１実施形態）
図２は、本発明の第１実施形態に係るハードディスクドライブ（ＨＤＤ）の概略的な構造を示す分解斜視図である。図３は、図２に示すハードディスクドライブ（ＨＤＤ）の一部斜視図である。
【００２２】
図２および図３を参照すると、ハードディスクドライブ（ＨＤＤ）は、スピンドルモータ１５５、アクチュエータ１３０およびボイスコイルモータ（ＶＣＭ）を備える。スピンドルモータ１５５は、例えばデータ記録用のディスク１５０を回転する。アクチュエータ１３０は、ディスク１５０の外郭で旋回可能に配置されて旋回動作をするとともに、アクチュエータ１３０の先端の読取り／書込みヘッド（図示せず）およびスライダー１３６を、ディスク１５０上の所定の位置に移動する。ボイスコイルモータ（ＶＣＭ）は、アクチュエータ１３０に駆動力を提供する。ここで、読取り／書込みヘッドは、スライダー１３６に備えられる。
【００２３】
スピンドルモータ１５５は、ハードディスクドライブ（ＨＤＤ）のベース部材１１２上に設置される。スピンドルモータ１５５には、一つまたは複数のデータ記録用のディスク１５０が装着される。ディスク１５０は、スピンドルモータ１５５に固定され、スピンドルモータ１５５によって所定の角速度で回転する。ディスク１５０は、スピンドルモータ１５５の回転子に結合されて、回転子とともに回転するものであって、所定のデータが保存される記録面と、データ保存以外の用途として使われる非記録面とに区分される。
【００２４】
アクチュエータ１３０は、ベース部材１１２に設置されるアクチュエータピボット１３１、スイングアーム１３２、サスペンション１３５およびコイル支持部１４５を備える。スイングアーム１３２は、アクチュエータピボット１３１に回転可能に結合される。つまり、アクチュエータ１３０は、ベース部材１１２上でアクチュエータピボット１３１を回転軸として、回転することができる。サスペンション１３５は、スイングアーム１３２の先端部に結合されて、読取り／書込みヘッド（図示せず）をディスク１５０の表面側に接近するように支持する。図３を参照すると、サスペンション１３５は、スイングアーム１３２の先端部に結合されるロッドビーム１３３と、スライダー１３６を装着して支持するフレクシャー１３４とを備える。ロッドビーム１３３およびフレクシャー１３４は、ロッドビーム１３３から下方に突出するディンプル１３９を介して互いに接触する。これによって、ほぼ点接触したロッドビーム１３３とフレクシャー１３４との間には、所定の余裕間隔が確保され、フレクシャー１３４に装着されるスライダー１３６は、ロッドビーム１３３に対して揺れるようになる。ロッドビーム１３３の先端部には、エンドタップ１３８が設けられる。ハードディスクドライブの停止時において、アクチュエータ１３０の先端、つまりエンドタップ１３８がランプ１６０上に配置されることによって、ディスク１５０から離隔したスライダー１３６を安定に配置できる。
【００２５】
ボイスコイルモータ（ＶＣＭ）は、スイングアーム１３２を回転させるための駆動力を提供するものである。ボイスコイルモータ（ＶＣＭ）は、ＶＣＭコイル１４１、コイル支持部１４５、ヨーク１７１、マグネット１７５から構成される。つまり、ボイスコイルモータ（ＶＣＭ）は、ＶＣＭコイル１４１に入力される電流とマグネット１７５によって形成された磁場との相互作用によって、フレミングの左手の法則による方向にスイングアーム１３２を回転する。ＶＣＭコイル１４１は、スイングアーム１３２の後端部と結合されるコイル支持部１４５に組立てられる。マグネット１７５は、ＶＣＭコイル１４１と対面するようにヨーク１７１に装着されて支持される。
【００２６】
一方、図２に図示していないが、アクチュエータ１３０の一側には、軟性ケーブル（Ｆｌｅｘｉｂｌｅ  Ｐｒｉｎｔｅｄ  Ｃｉｒｃｕｉｔ）が接続され、軟性ケーブルを介して伝送される作動信号または停止信号によって、スライダー１３６がディスク上に進入してロード状態となるか、またはディスク上から外側に離脱してアンロード状態となる。ここで、軟性ケーブルを介して伝送される作動信号または停止信号とは、ハードディスクドライブの電源をオン／オフすることによって発生する信号である。
【００２７】
スピンドルモータ１５５およびアクチュエータ１３０は、垂直方向（図２の紙面において、上下方向）の上下に対向するように結合されるベース部材１１２とカバー部材１１１とによって設けられる内部空間に収容される。ベース部材１１２およびカバー部材１１１は、外部異物の侵入を防止して内部に収納される部品を保護し、駆動騷音が外部に伝えられないように遮断する機能を担う。カバー部材１１１の所定の領域には、サスペンション１３５の振動を所定に制限するための突出部１２０が設けられるが、これについての説明は後述する。ベース部材１１２およびカバー部材１１１は、アルミニウムまたは鉄などの板材を所定の形状にプレス加工して製造される。ここで、ランプ１６０は、ベース部材１１２上でディスク１５０の外郭に設けられる。カバー部材１１１は、ランプ１６０の上側において、ベース部材１１２と対向するように設けられる。
【００２８】
ハードディスクドライブ（ＨＤＤ）の電源がオンになってディスク１５０が回転し始めると、ボイスコイルモータ（ＶＣＭ）は、スイングアーム１３２を所定の方向、例えば逆時計回りに回転させて、ディスク１５０の記録内容をロードするために、スライダー１３６をディスク１５０の記録面上に移動させる。スライダー１３６は、回転するディスク１５０によって発生する揚力およびサスペンション１３５の弾性力によって、ディスク１５０の表面から所定の高さに浮上する。このような状態で、スライダー１３６は、ディスク１５０の特定のトラックを追従する。そして、スライダー１３６に搭載された読み取り／書き込みヘッド（図示せず）は、ディスク１５０の記録面にデータを記録するか、またはディスク１５０の記録面に保存されたデータを再生する。
【００２９】
一方、ハードディスクドライブ（ＨＤＤ）の電源がオフになってディスク１５０の回転が停止すると、ボイスコイルモータ（ＶＣＭ）は、スイングアーム１３２を反対方向、例えば時計回りに回転させて、スライダー１３６がディスク１５０の記録面から外れて離隔するようにする。このようにディスク１５０の記録面から外れたスライダー１３６は、ディスク１５０の外郭に設けられるランプ１６０に配置される。つまり、本発明の実施形態では、ハードディスクドライブの電源がオフになることにより発生する停止信号が、アクチュエータ１３０の一側に接続される軟性ケーブルによって、ボイスコイルモータ（ＶＣＭ）に伝達される。これにより、スライダー１３６を備えるアクチュエータ１３０がディスク１５０から離隔するように移動する。この時、エンドタップ１３８は、後述するランプ１６０の第１傾斜面１６１、エンドタップ移動面１６３、第２傾斜面１６５、エンドタップ停止面１６７の順に移動して、ランプ１６０のエンドタップ停止面１６７上で停止して配置される。
【００３０】
ランプ１６０は、第１傾斜面１６１、エンドタップ移動面１６３、第２傾斜面１６５、エンドタップ停止面１６７を備えて形成される。ハードディスクドライブ（ＨＤＤ）の電源がオフになって、エンドタップ１３８がディスク１５０の回転中心から離れてディスク１５０の外郭側に移動する際、ランプ１６０の第１傾斜面１６１は、エンドタップ１３８をディスク１５０の表面から離れるように案内する面である。ランプ１６０のエンドタップ移動面１６３は、スライダー１３６をディスク１５０の表面から十分に離隔する状態を維持するために、エンドタップ１３８を水平移動するように水平に延びて形成される面である。ランプ１６０の第２傾斜面１６５は、第１傾斜面１６１に対して反対方向の傾斜を備える面である。ランプ１６０のエンドタップ停止面１６７は、停止状態のエンドタップ１３８を配置する面である。
【００３１】
また、ランプ１６０は、停止状態のエンドタップ１３８がエンドタップ停止面１６７上に配置された時にサスペンション１３５の先端を支持するスライダー支持面１６８を備える。スライダー支持面１６８によってサスペンション１３５の先端を支持することにより、サスペンション１３５に設けられたスライダー１３６を支持することができる。そして、ランプ１６０の下端部には、振動制限壁１６９が設けられるが、これについては後述する。本発明の実施形態において、ランプ１６０の第１傾斜面１６１、エンドタップ移動面１６３、第２傾斜面１６５、エンドタップ停止面１６７は、ランプ１６０のカバー部材１１１に対向する上面に位置し、ディスク１５０側に位置する第１傾斜面１６１から順にエンドタップ移動面１６３、第２傾斜面１６５、エンドタップ停止面１６７がディスク１５０側から離れて位置することになる。そして、ランプ１６０のスライダー支持面１６８および振動制限壁１６９は、ランプ１６０のアクチュエータ１３０側の側面に位置する。ここで、本発明の実施形態では、ディスク１５０の両面にそれぞれ対応する一対のサスペンション１３５が設けられる場合、ランプ１６０の上面に対向する下面にも、上述の第１傾斜面１６１、エンドタップ移動面１６３、第２傾斜面１６５、エンドタップ停止面１６７が形成される。
【００３２】
一方、カバー部材１１１には、ランプ１６０の少なくとも一部、例えばエンドタップ停止面１６７に向かって所定の厚さに突出する突出部１２０が設けられる。図４は、図３のＩＶ−ＩＶ線の断面図であって、スライダー１３６がランプ１６０に配置される状態を示す。図４に示すように、エンドタップ停止面１６７と突出部１２０との間には、所定の余裕間隙ｇが形成される。余裕間隙ｇは、エンドタップ１３８がエンドタップ停止面１６７に進入したり、エンドタップ停止面１６７から出てくる時に、エンドタップ１３８がカバー部材１１１によって干渉されないように設けられるものである。つまり、互いに対向する突出部１２０の底面とエンドタップ停止面１６７との間において、所定の間隙（余裕間隙ｇ）が維持されるように、突出部１２０の底面は、エンドタップ停止面１６７に対して平行となる。余裕間隙ｇは、エンドタップ１３８の移動が干渉されない範囲内で最小限に規制されることが、ハードディスクドライブ（ＨＤＤ）の耐衝撃性の点で望ましいが、以下では、余裕間隙ｇについて説明する。
【００３３】
エンドタップ１３８がエンドタップ停止面１６７に配置された状態で、ハードディスクドライブ（ＨＤＤ）に略垂直方向（図４の紙面において、上下側）から外部衝撃が加えられると、例えば垂直上方（図４の紙面において、上側）から衝撃が加えられる場合、剛性が相対的に弱いアクチュエータ１３０の先端のサスペンション１３５が下方に曲がる。そして、サスペンション１３５の弾性復原力によって、サスペンション１３５は、再び垂直上方に跳ね返る。この時、エンドタップ１３８は、サスペンション１３５とともに上方に速い速度で上がって、カバー部材１１１に衝突する。エンドタップ１３８とカバー部材１１１との衝突反発力によって、サスペンション１３５は再び下降する。
【００３４】
このような動作を繰り返してサスペンション１３５が振動する過程で、エンドタップ１３８の垂直移動量は、余裕間隙ｇによって決定される。よって、エンドタップ１３８の垂直移動量が所定に制限される場合では、サスペンション１３５の振動が減少し、サスペンション１３５に装着されるスライダー１３６対同士による衝撃を低減できる。本発明の実施形態では、カバー部材１１１の一部がエンドタップ停止面１６７に向かって接近するように、突出部１２０を備えることによって、余裕間隙ｇを所定に制限し、サスペンション１３５の加速衝突を防止できる。突出部１２０の断面形状は、余裕間隙ｇを制限するようにランプ１６０に向かって突出するかぎり、特別に制限されない。例えば、突出部１２０の断面および底面は、図４の実線で表示されるように角のある形態で設けられてもよく、または点線で表示されるように所定の曲率の略曲面形状で設けられてもよい。
【００３５】
一方、サスペンション１３５およびサスペンション１３５に装着されるスライダー１３６は、それぞれディスク１５０の上面および下面に対応するように、上下に対向して対になって配置される。つまり、サスペンション１３５は、垂直方向の上下（図４の紙面において、上下方向）で互いに対向する一対のサスペンションから構成され、スライダー１３６も、垂直方向の上下で互いに対向する一対のスライダーで構成される。外部から衝撃が加えられると、上側に設けられるエンドタップ１３８は、エンドタップ停止面１６７と突出部１２０との間で上下に振動し、特に、突出部１２０によって、エンドタップ１３８の振動変位を制限できる。これと同様に、下側に設けられるエンドタップ１３８は、エンドタップ停止面１６７とランプ１６０に設けられる振動制限壁１６９との間で垂直方向に振動し、振動制限壁１６９によって衝撃時の垂直変位を制限できるため、下側に設けられるサスペンション１３５およびサスペンション１３５に装着されるスライダー１３６の損傷を防止できる。よって、本発明の実施形態では、ランプ１６０の側面において、スライダー支持面１６８の下に振動制限壁１６９を設ける。そして、振動制限壁１６９は、振動制限壁１６９とエンドタップ停止面１６７との間に上述の余裕間隙ｇを維持できるように、エンドタップ停止面１６７に対して平行に設けられてよい。従って、本発明の実施形態では、突出部および振動制限壁を備えることで、外部から衝撃が加えられる時に起こる一対のサスペンションの弾性振動を所定の範囲に制限することができる。
【００３６】
突出部１２０は、ランプ１６０に対向するカバー部材１１１の所定の部分をプレス加工することで、カバー部材１１１と一体に形成される。つまり、突出部１２０は、カバー部材１１１と一体になるように、カバー部材１１１の一部分をランプ１６０側に突出することにより形成される。一般的に、カバー部材１１１は、ベース部材１１２との結合部を形成するために、プレス加工を経て製造されるので、単純に突出部１２０の形状に対応して、プレスダイの形状を変形させることによって、さらに工程を追加することなく、本発明の実施形態の突出部１２０を形成できる。
【００３７】
一方、ランプ１６０に対向する突出部１２０の底面には、緩衝材１２９が装着されてもよい。外部衝撃によりエンドタップ１３８が突出部１２０に衝突する時、緩衝材１２９は、エンドタップ１３８の衝突エネルギーを吸収し、突出部１２０からエンドタップ１３８に加えられる反発力を減らすことによって、サスペンション１３５の振動を抑制するために設けられる。緩衝材１２９としては、振動を吸収できるダンピング能力を備える素材であれば、特別に限定される必要がないが、例えば、スポンジやシリコンゴムなどのゴム素材をパッド形状に製造して使用してもよい。緩衝材１２９が突出部１２０の底面に装着される場合、ランプ１６０のエンドタップ停止面１６７と突出部１２０との間で上下に振動するエンドタップ１３８の振動エネルギーを吸収でき、エンドタップ１３８の振動を迅速に減衰できるので、緩衝材１２９は、サスペンション１３５の保護により効果的である。また、緩衝材１２９は、振動制限壁１６９のカバー部材１１１に対向する面に設けられてもよい。
【００３８】
（第２実施形態）
図５は、本発明の第２実施形態に係るハードディスクドライブ（ＨＤＤ）の主要部を示す図面である。本発明の第２実施形態のハードディスクドライブは、第１実施形態とほぼ同じ構成要素を備える。本発明の第２実施形態のハードディスクドライブは、スピンドルモータ１５５、ディスク１５０、アクチュエータ１３０、ランプ１６０、ベース部材１１２およびカバー部材２１１を備える。スピンドルモータ１５５は、ベース部材１１２上に装着される。ディスク１５０は、スピンドルモータ１５５に固定され、スピンドルモータ１５５とともに回転する少なくとも一つ以上のディスクである。アクチュエータ１３０は、ベース部材１１２上に旋回可能に配置されて旋回動作するとともに、アクチュエータ１３０の先端側に搭載されるスライダー１３６をディスク１５０上の所定の位置に移動する。ランプ１６０は、ディスク１５０の外郭に設けられて、スライダー１３６をディスク１５０から離隔して配置する動作時に、アクチュエータ１３０の先端をディスク１５０の表面から離れるように案内する第１傾斜面１６１、および停止状態のアクチュエータ１３０の先端を支持するエンドタップ停止面１６７を備える。カバー部材２１１は、ランプ１６０の上側において、ベース部材１１２と対向するように組立てられる。
【００３９】
図５を参照すると、ディスク１５０の外郭には、ディスク１５０から離隔するスライダー１３６が配置されるランプ１６０が設けられる。ランプ１６０は、エンドタップ１３８の移動を案内する複数の支持面を備え、エンドタップ１３８がディスク１５０の面と衝突されずに安定に配置されるように誘導する。さらに具体的に説明すると、ランプ１６０は、第１傾斜面１６１、エンドタップ移動面１６３、第２傾斜面１６５およびエンドタップ停止面１６７を備える。ランプ１６０の第１傾斜面１６１は、エンドタップ１３８をディスク１５０の表面から順次に離れるように所定の角度で傾斜する面である。ランプ１６０のエンドタップ移動面１６３は、エンドタップ１３８をディスク１５０の表面から十分に離隔した状態で水平移動するように水平に延びて形成される面である。ランプ１６０の第２傾斜面１６５は、第１傾斜面１６１に対して反対方向に傾斜する面である。ランプ１６０のエンドタップ停止面１６７は、エンドタップ１３８を停止して配置する面である。
【００４０】
本発明の第２実施形態でも、ランプ１６０の第１傾斜面１６１、エンドタップ移動面１６３、第２傾斜面１６５、エンドタップ停止面１６７は、上記第１実施形態と同様の配置を備える。そして、ランプ１６０のスライダー支持面１６８および振動制限壁１６９についても、上記第１実施形態と同様の配置を備える。そして、本発明の第２実施形態でも、サスペンション１３５が一対で設けられる場合、ランプ１６０のカバー部材２１１に対向する上面、および当該上面に対向する下面の各々に、第１傾斜面１６１、エンドタップ移動面１６３、第２傾斜面１６５、エンドタップ停止面１６７が形成される。
【００４１】
図６は、図５のＶＩ−ＶＩ線の断面図を示す。図６を参照すると、カバー部材２１１には、ランプ１６０に向かって突出する突出部２２０が設けられる。突出部２２０は、ランプ１６０の形状に対応して整合される形状に設けられ、これによって、ランプ１６０の第１傾斜面１６１、エンドタップ移動面１６３、第２傾斜面１６５、エンドタップ停止面１６７と所定の余裕間隙ｇを維持できる。
【００４２】
さらに詳細に説明すると、突出部２２０は、第１斜面２２１、第１水平面２２３、第２斜面２２５および第２水平面２２７を備える。突出部２２０の第１斜面２２１は、ランプ１６０の第１傾斜面１６１に沿って上昇傾斜を備える面であり、ランプ１６０の第１傾斜面１６１に対して平行に位置する。突出部２２０の第１水平面２２３は、ランプ１６０のエンドタップ移動面１６３に対応して水平に延びて形成される面であり、ランプ１６０のエンドタップ移動面１６３に対して平行に位置する。突出部２２０の第２斜面２２５は、ランプ１６０の第２傾斜面１６５に対応して下降傾斜を備える面であり、ランプ１６０の第２傾斜面１６５に対して平行に位置する。突出部２２０の第２水平面２２７は、ランプ１６０のエンドタップ停止面１６７に対応して水平に延びて形成される面であり、ランプ１６０のエンドタップ停止面１６７に対して平行に位置する。但し、突出部２２０は、対応するランプ１６０の形状によって多様に変形され、本発明の実施形態における技術的範囲は、図６で図示される突出部２２０の形状に限定されない。例えば、突出部２２０は、所定の曲率の略曲面形状で形成されてもよい。
【００４３】
突出部２２０は、図３を参照して説明した突出部１２０と事実上同様に、ハードディスクドライブ（ＨＤＤ）の耐衝撃特性に寄与することができる。但し、図３に示す本発明の第１実施形態において、突出部１２０は、ランプ１６０のエンドタップ停止面１６７に対応して設けられ、エンドタップ１３８がエンドタップ停止面１６７上に配置された以後にのみ、突出部１２０の機能が発揮される。しかしながら、本発明の第２実施形態の突出部２２０は、ランプ１６０のほぼ全長に対応して長く形成され、エンドタップ１３８がエンドタップ停止面１６７上に配置される以前の状態であっても、例えば、エンドタップ１３８がランプ１６０の第１傾斜面１６１に進入した以後であれば、外部の衝撃に対してエンドタップ１３８の垂直変位を、予め設定された余裕間隙ｇほど制限できる。これによって、サスペンション１３５の揺れる振動を非常に効率良く規制できる。
【００４４】
さらに具体的に説明すると、まず、エンドタップ１３８がランプ１６０の第１傾斜面１６１に進入すると、エンドタップ１３８は、ランプ１６０の第１傾斜面１６１と突出部２２０の第１斜面２２１との間の余裕間隙ｇを介して、ディスク１５０の面から離れるように移動する。この時のエンドタップ１３８の移動中に外部衝撃が加えられると、エンドタップ１３８の垂直変位は、狭い余裕間隙ｇ内に制限されるので、サスペンション１３５の弾性振動を迅速に減衰することができる。
【００４５】
そして、エンドタップ１３８がランプ１６０のエンドタップ移動面１６３に進入すると、エンドタップ１３８は、ランプ１６０のエンドタップ移動面１６３と突出部２２０の第１水平面２２３との間の余裕間隙ｇによって、エンドタップ１３８の垂直方向変位を制限され、外部衝撃が加えられると、この余裕間隙ｇ内で振動しながら衝撃エネルギーを消散できる。この際、外部衝撃が垂直方向の上側（図６の紙面において、上側）から加えられる場合であれば、サスペンション１３５は、下方（図６の紙面において、下方向）に曲がって弾性変形される。その後、サスペンション１３５の弾性復原力によって、サスペンション１３５は、上側に速く移動するとともに、突出部２２０に衝突し、突出部２２０の反発力によって再び下方に移動する過程を経る。ここで、余裕間隙ｇが狭く設けられるので、余裕間隙ｇを介してサスペンション１３５の加速を抑制することができ、これによってスライダー１３６対に加えられる衝撃を緩和できる。ここで、スライダー１３６対とは、垂直方向（図６の紙面において、上下方向）の上下に互いに対向して配置される一対のスライダーである。
【００４６】
エンドタップ１３８がランプ１６０の第２傾斜面１６５を経てエンドタップ停止面１６７上に配置されると、エンドタップ１３８は、ランプ１６０のエンドタップ停止面１６７と突出部２２０の第２水平面２２７との間で配置される。停止した状態のハードディスクドライブ（ＨＤＤ）に外部衝撃が加えられると、エンドタップ１３８は、ランプ１６０のエンドタップ停止面１６７と突出部２２０の第２水平面２２７との間で上下に振動する。この時、突出部２２０の作用により、振動が許容される余裕間隙ｇが狭く限定されることで、サスペンション１３５の過度の変形や、サスペンション１３５の弾性力による加速によって生じるスライダー１３６対同士の衝撃などが防止できる。
【００４７】
突出部２２０は、ランプ１６０に対向するカバー部材２１１の所定の部分をプレス加工することによって、カバー部材２１１と一体に形成される。つまり、突出部２２０は、カバー部材２１１と一体になるように、カバー部材２１１の一部分をランプ１６０側に突出することにより形成される。本発明の第２実施形態も、突出部２２０の形状に対応してプレスダイの形状を変形する単純な方法で、さらに工程を追加することなく、突出部２２０を形成できる。
【００４８】
ランプ１６０に対向する突出部２２０の底面には、緩衝材２２９が装着されてよい。外部衝撃によってエンドタップ１３８が突出部２２０に衝突する場合に、緩衝材２２９は、エンドタップ１３８の衝突エネルギーを吸収することによって、サスペンション１３５の振動を迅速に減衰できる。緩衝材２２９についての詳細な説明は、図３および図４を参照して説明した部分と事実上同様である。但し、緩衝材２２９は、突出部２２０の全長にわたって装着されてもよく、または、突出部２２０の一部にのみ装着されてもよい。また、緩衝材２２９は、振動制限壁１６９のカバー部材２１１に対向する面に設けられてもよい。
【００４９】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５０】
本発明は、外部衝撃によるハードディスクドライブ内部のアクチュエータの永久変形、アクチュエータの永久変形によるハードディスクドライブの故障を抑制する発明に適用される。
【図面の簡単な説明】
【００５１】
【図１】従来技術のハードディスクドライブの主要部を示す図面である。
【図２】本発明の第１実施形態に係るハードディスクドライブの構造を示す斜視図である。
【図３】図２の主要部の斜視図である。
【図４】図３のＩＶ−ＩＶ線の断面図である。
【図５】本発明の第２実施形態に係るハードディスクドライブの主要部を示す斜視図である。
【図６】図５のＶＩ−ＶＩ線の断面図である。
【符号の説明】
【００５２】
１１１、２１１      カバー部材
１１２      ベース部材
１２０、２２０      突出部
１２９、２２９      緩衝材
１３０      アクチュエータ
１３１      アクチュエータピボット
１３２      スイングアーム
１３３      ロッドビーム
１３４      フレクシャー
１３５      サスペンション
１３６      スライダー
１３８      エンドタップ
１３９      ディンプル
１４１      ＶＣＭコイル
１４５      コイル支持部
１５０      ディスク
１５５      スピンドルモータ
１６０      ランプ
１６１      ランプの第１傾斜面
１６３      ランプのエンドタップ移動面
１６５      ランプの第２傾斜面
１６７      ランプのエンドタップ停止面
１６８      スライダー支持面
１６９      振動制限壁
１７１      ヨーク
１７５      マグネット
２２１      突出部の第１斜面
２２３      突出部の第１水平面
２２５      突出部の第２斜面
２２７      突出部の第２水平面
【図１】
2007109379.tif 000003
【図２】
2007109379.tif 000004
【図３】
2007109379.tif 000005
【図４】
2007109379.tif 000006
【図５】
2007109379.tif 000007
【図６】
2007109379.tif 000008